(57)【特許請求の範囲】
【請求項１】
保温材と、該保温材を覆う布製で、就寝者の上半身及び下半身を覆う掛け布団及び又は敷き布団よりなる袋部とより構成されてなる寝具において、
前記袋部の生地の少なくとも就寝者に対向する側の面に、顔料若しくは染料により着色が施されてなり、
前記顔料若しくは染料には、琥珀パウダーが５％以上含まれてなり且つ就寝者の腰部相当位置の袋部に前記顔料若しくは染料を集中的に配してなることを特徴とする寝具。
【請求項２】
保温材と、該保温材を覆う布製で、就寝者の頭部及び頸部を支持可能なる枕よりなる袋部とより構成されてなる寝具において、
前記袋部の生地の少なくとも就寝者に対向する側の面に、顔料若しくは染料により着色が施されてなり、
前記顔料若しくは染料には、琥珀パウダーが５％以上含まれてなり且つ就寝者の頸部相当位置の袋部に前記顔料若しくは染料を集中的に配してなることを特徴とする寝具。
【請求項３】
保温材と、該保温材を覆う布製で、就寝者の足部を覆うフットカバーよりなる袋部とより構成されてなる寝具において、
前記袋部の生地の少なくとも就寝者に対向する側の面に、顔料若しくは染料により着色が施されてなり、
前記顔料若しくは染料には、琥珀パウダーが５％以上含まれてなり且つ就寝者の足裏相当位置の袋部に前記顔料若しくは染料を集中的に配してなることを特徴とする寝具。
【請求項４】
請求項１乃至請求項３の何れか１項に記載の寝具であって、
顔料若しくは染料による着色は、所定の字体であることを特徴とする寝具。
【請求項５】
請求項１乃至請求項３の何れか１項に記載の寝具であって、
顔料若しくは染料による着色は、所定の図象であることを特徴とする寝具。
【請求項６】
請求項４又は請求項５に記載の寝具であって、
所定の字体又は図象は、袋部に対して斜め方向に且つ上下を適宜選択しての繰り返しにより配置されてなることを特徴とする寝具。
【請求項７】
請求項１乃至請求項６の何れか１項に記載の寝具であって、
顔料若しくは染料による着色は、袋部の長短尺それぞれの方向に１０個ずつ配置されてなることを特徴とする寝具。
【請求項８】
請求項１乃至請求項７の何れか１項に記載の寝具であって、
前記袋部は、就寝者に対向する側の面に配される裏地と、該裏地に対向した位置に配される表地とより構成されてなると共に、該裏地及び表地間の少なくとも一方を係脱自在として保温材を収脱自在としたことを特徴とする寝具。
【発明の詳細な説明】
【技術分野】
【０００１】
本発明は、就寝時に使用する寝具に関する。
【背景技術】
【０００２】
従来一般に使用されている寝具は、例えば、綿わたや羊毛わたどよりなる保温材と、該保温材を覆う布製の袋部とより構成されてなる（例えば、特許文献１。）。
【特許文献１】特開２００３−１５３７８１号公報
【発明の開示】
【発明が解決しようとする課題】
【０００３】
しかしながら、このような従来の技術にあっては、前記一般の寝具に用いられている無地の生地について波動を測定すると、ストレス解消や温度調節をしにくい状態であり、熟睡時に発生すると言われるα波も出にくいと言われている。更に、現在問題になっている対アレルギー用の物とは言えず、心臓、肩などの疾患に対してもマイナスの波動が出ていて、商品性の向上が望まれている。
【０００４】
本願発明は、このような従来の技術に着目してなされたものであり、対ストレス、対温度調節に優れ、対アレルギー波動の高い、環境に優しい寝具を提供するものである。
【課題を解決するための手段】
【０００５】
請求項１記載の発明は、保温材と、該保温材を覆う布製で、就寝者の上半身及び下半身を覆う掛け布団及び又は敷き布団よりなる袋部とより構成されてなる寝具において、前記袋部の生地の少なくとも就寝者に対向する側の面に、顔料若しくは染料により着色が施されてなり、前記顔料若しくは染料には、琥珀パウダーが５％以上含まれてなり且つ就寝者の腰部相当位置の袋部に前記顔料若しくは染料を集中的に配してなることを特徴とする。
【０００６】
請求項２記載の発明は、保温材と、該保温材を覆う布製で、就寝者の頭部及び頸部を支持可能なる枕よりなる袋部とより構成されてなる寝具において、前記袋部の生地の少なくとも就寝者に対向する側の面に、顔料若しくは染料により着色が施されてなり、前記顔料若しくは染料には、琥珀パウダーが５％以上含まれてなり且つ就寝者の頸部相当位置の袋部に前記顔料若しくは染料を集中的に配してなることを特徴とする。
【０００７】
請求項３記載の発明は、保温材と、該保温材を覆う布製で、就寝者の足部を覆うフットカバーよりなる袋部とより構成されてなる寝具において、前記袋部の生地の少なくとも就寝者に対向する側の面に、顔料若しくは染料により着色が施されてなり、前記顔料若しくは染料には、琥珀パウダーが５％以上含まれてなり且つ就寝者の足裏相当位置の袋部に前記顔料若しくは染料を集中的に配してなることを特徴とする。
【０００９】
請求項４記載の発明は、請求項１乃至請求項３の何れか１項に記載の寝具であって、顔料若しくは染料による着色は、所定の字体であることを特徴とする。
【００１０】
請求項５記載の発明は、請求項１乃至請求項３の何れか１項に記載の寝具であって、顔料若しくは染料による着色は、所定の図象であることを特徴とする。
【００１１】
請求項６記載の発明は、請求項４又は請求項５に記載の寝具であって、所定の字体又は図象は、袋部に対して斜め方向に且つ上下を適宜選択しての繰り返しにより配置されてなることを特徴とする。
【００１２】
請求項７記載の発明は、請求項１乃至請求項６の何れか１項に記載の寝具であって、顔料若しくは染料による着色は、袋部の長短尺それぞれの方向に１０個ずつ配置されてなることを特徴とする。
【００１３】
請求項８記載の発明は、請求項１乃至請求項７の何れか１項に記載の寝具であって、前記袋部は、就寝者に対向する側の面に配される裏地と、該裏地に対向した位置に配される表地とより構成されてなると共に、該裏地及び表地間の少なくとも一方を係脱自在として保温材を収脱自在としたことを特徴とする。
【発明の効果】
【００１４】
請求項１記載の発明によれば、就寝者の上半身及び下半身を覆う掛け布団及び又は敷き布団よりなる袋部の生地の少なくとも就寝者の腰部相当位置に対向する側の面に、琥珀パウダーが５％以上含まれてなる顔料若しくは染料により着色が施されてなるため、かかる寝具は、対ストレス、対温度調節に優れ、対アレルギー波動の高い、環境に優しい寝具とすることができるし、かかる寝具に就寝する就寝者の腰部に対して、集中して温めやすく、環境に優しい寝具とすることができる。
【００１６】
請求項２記載の発明によれば、前記袋部としては、就寝者の頭部及び頸部を支持可能なる枕よりなり、就寝者の頸部相当位置の袋部に前記顔料若しくは染料を集中的に配してなるため、かかる寝具に就寝する就寝者の頸部に対して、集中して温めやすく、環境に優しい寝具とすることができる。
【００１７】
請求項３記載の発明によれば、前記袋部としては、就寝者の足部を覆うフットカバーよりなり、就寝者の足裏相当位置の袋部に前記顔料若しくは染料を集中的に配してなるため、かかる寝具に就寝する就寝者の足裏に対して、集中して温めやすく、環境に優しい寝具とすることができる。
【００１８】
請求項４記載の発明によれば、顔料若しくは染料による着色は、所定の字体であるため、かかる寝具の着色が就寝者から見えるので、例えばかかる字体が企業名であればその企業の宣伝になるし、かかる字体が地域名で有ればその地域の宣伝効果が生じる。
【００１９】
請求項５記載の発明によれば、顔料若しくは染料による着色は、所定の図象であるため、かかる寝具の着色が就寝者から見えるので、例えばかかる図象が子供の好むキャラクターで有れば、該キャラクターに抱かれて寝る心地よい寝心地になり、より就寝しやすいことになる。
【００２０】
請求項６記載の発明によれば、所定の字体は、袋部に対して斜め方向に且つ上下を適宜選択しての繰り返しにより配置されてなるため、方形の寝具であるにもかかわらず琥珀パウダーの含まれた着色の量が多くなり、その分琥珀パウダーの影響が大きくなる。
【００２１】
請求項７記載の発明によれば、顔料若しくは染料による着色は、袋部の長短尺それぞれの方向に１０個ずつ配置されてなることにより、かかる寝具をかぶって（或いは敷いて）就寝する就寝者への影響がより出やすくなる。
【００２２】
請求項８記載の発明によれば、前記袋部は、就寝者に対向する側の面に配される裏地と、該裏地に対向した位置に配される表地とより構成されてなると共に、該裏地及び表地間の少なくとも一方を係脱自在として別の保温材を収脱自在としたことにより、夏季は袋部の裏地及び表地間に保温材を挿入しないまま風通しの良い寝具として寄与し、冬季にはかかる袋部に保温材を挿入支持すれば、暖かな寝具とすることができる。即ち、春夏秋冬のあらゆる季節に使用できる。
【発明を実施するための最良の形態】
【００２３】
対ストレス、対温度調節に優れ、対アレルギー波動の高い、環境に優しい寝具を提供するという目的を、保温材と、該保温材を覆う布製で、就寝者の上半身及び下半身を覆う掛け布団及び又は敷き布団よりなる袋部とより構成されてなる寝具において、前記袋部の生地の少なくとも就寝者に対向する側の面に、顔料若しくは染料により着色が施されてなり、前記顔料若しくは染料には、琥珀パウダーが５％以上含まれてなり且つ就寝者の腰部相当位置の袋部に前記顔料若しくは染料を集中的に配してなる寝具とすることで、実現した。
【実施例１】
【００２４】
図１乃至図４は、本願発明の一実施例を示す図である。符号１は、掛け布団で、該掛け布団１は、綿わたなどよりなる保温材２と、該保温材２を覆う布製の袋部３とより構成されてなる。前記袋部３の生地の少なくとも就寝者４の前面４ａに対向する側の面３ａには、琥珀パウダーが５％以上含まれてなる顔料若しくは染料によりなる着色５が施されてなる。袋部３は、長尺が２０００ミリメートルで、短尺が１０００ミリメートル或いは１４００ミリメートルである。
【００２５】
符号１１は、畳などの床材２２の上に敷かれる敷き布団で、該敷き布団１１は、綿わたなどよりなる保温材１２と、該保温材１２を覆う布製の袋部１３とより構成されてなる。前記袋部１３の生地の少なくとも就寝者４の背面４ｂに対向する側の面１３ａには、琥珀パウダーが５％以上含まれてなる顔料若しくは染料によりなる着色５が施されてなる。
【００２６】
符号１４は、図４に示す枕で、該枕１４は、低反発ポリウレタンフォームなどよりなる保温材１５と、該保温材１５を覆うポリエステル製の中袋１６と、該中袋１６を覆う布製の袋部１７と、該袋部１７を覆う綿ハニカムネット製の汚れ防止カバー１８とより構成されてなる。前記袋部１７の生地の少なくとも就寝者４の頸部４ｃに対向する側の面１７ａには、琥珀パウダーが５％以上含まれてなる顔料若しくは染料によりなる着色５が施されてなる。図１で枕１４が保温材１５と袋部１７とよりのみ構成されているように示しているのは、他の寝具との比較上簡潔に示したものである。枕１４の袋部１７は、左右幅が５００ミリメートルで、前後幅が３３０ミリメートルで、首を支える部分の高さが１００ミリメートルに対して頭を支える部分の高さが６０〜７０ミリメートルである。
【００２７】
符号１９は、フットカバーで、該フットカバー１９は、綿わたなどよりなる保温材２０と、該保温材２０を覆う布製の袋部２１とより構成されてなる。前記袋部２１の生地の少なくとも就寝者４の足裏４ｄに対向する側の面２１ａには、琥珀パウダーが５％以上含まれてなる顔料若しくは染料によりなる着色５が施されてなる。
【００２８】
これらの顔料若しくは染料による着色５は、「ｙａｍａｎｏ」などの所定の字体であり、該所定の字体は、袋部３、１３，１７，２１に対して斜め４５°方向に且つ所定の字体が、或る所では上向きとし、或る所では下向きとし、この上下向きを図２に示すように、適宜選択しての繰り返しにより袋部３、１３，１７，２１の長短尺それぞれの方向に１０個ずつ配置されてなる。字体と、字体との間隔は１１０ミリメートル程度である。その字体を川の流れのように順次設けても良いし、千鳥足状、猫の足状でも良い。その字体自体は、縦１．５ミリメートル、横９．５ミリメートル程度である。
【００２９】
前記袋部３、１３，１７，２１について、次に説明する。図３に示すように、掛け布団１を例に説明すると、就寝者４に対向する側の面３ａ（図１参照）に配される裏地６と、該裏地６に対向した位置に配される表地７とより中空状に構成されてなると共に、該裏地６及び表地７間の少なくとも一方をファスナー８により係脱自在としていて、該ファスナー８を開成することで、別の保温材９を収脱自在としている。つまり、夏季は、保温材９を取り外し、保温材２のみとし、冬季は、保温材９を収納させて保温材２と共に就寝者４を温めることができる。符号１０は、かかる裏地６及び表地７並びにファスナー８を支持する縫製部であることを意味する。
【００３０】
前記顔料若しくは染料による着色５に含まれる琥珀パウダーについて、次に説明する。琥珀は、およそ５０００万年前の松柏科植物の樹液が化石化したものであって、英語の琥珀を意味する「ａｍｂｅｒ」は、アラビア語のａｎｂｅｒから来たといわれ、意味は「香気を放つ物質」とか「海に漂うもの」と言われている。また、ロシア語の琥珀を意味する「ヤンターリ」は、ラテン語の「黄色のもの」に由来すると言われている。ポーランド語の琥珀を意味する「ブルシュテイン」は、「燃える石」に由来すると言われている。更に、ドイツ語の琥珀を意味する「ｂｅｒｎｓｔｅｉｎ」も、ポーランド語と類似して「燃えるような石」からきていると言われている。
【００３１】
商業的に適した琥珀の産地は、ヨーロッパの「バルト琥珀」とカリブ海の「ドミニカ琥珀」と言われている。スウェーデンの化学者Ｉ・Ｙ・ベリツェリウスは、１９２８年に琥珀について「揮発性の芳香油、樹脂という二種類の融解性粒子、及び９０％の非融解性成分よりなる」と規定している。その後、バルト海琥珀から、竜脳のアルコールと琥珀酸が３％から８％抽出され、揮発部は１０重量％。分子内に１０原子の炭素のテルペン、１５原子の炭素のセキステルペンでできた芳香化合物であることが判明されている。その琥珀には、大量にテレピン油を含有しているばかりか、４０以上の化合物が混合していた。
【００３２】
その後、分析の技量が高まることで、琥珀の中からクロロピマール酸、ネオアビエチン酸、テクストピマール酸、イゾテクスピマール酸が抽出され、よく知られている溶剤のうち、どのようなものにも溶解しない残存物として複雑なエーテルを見出すことに成功した。どのようにしてアビエチン酸が複雑なエーテルに転化したかの回答の一つは太陽光線、特に紫外線である、と言われているが、確定していない。
【００３３】
琥珀は、よく知られているように、３つの化合物グループで組成されている。(1)揮発性テルペンとセスキテルペンの化合物、(2)溶解性有機酸の化合物、(3)これらの酸の非融解ポリエーテルと、これらの同じ酸から形成されアルコールとの化合物である。また、琥珀は平均７９％の炭素、１０．５％の水素、１０．５％の酸素、少量の硫黄、窒素、鉱物を含有している有機酸の化合物であり、その構造式は、Ｃ１０Ｈ１６Ｏ４である。
【００３４】
こうした琥珀の分析は、長い時間を掛けて行われていて、様々な論文などにより公表されているが、観点を変えたものとして、琥珀によるソフト面の効果がさまざまに言われている。
【００３５】
例えば、琥珀から抽出される琥珀酸はマイナスイオンを発散し、抗ストレス剤として利用されている、というヒーリング効果。電磁波を吸収し、体内の余分な電磁波を防ぐという帯電性遮断効果。腎臓、腸、胃の働きを正常化、不整脈や頭痛の緩和するという内臓疾患治癒効果。末梢神経組織の疾患、聴覚障害、心臓脈管等疾患を治療するという神経系疾患治癒効果。呼吸器疾患の際に身体の防御力を高めるという循環器系疾患治癒効果。リューマチ、甲状腺疾患に効果的という内分泌系疾患治癒効果。アレルギー性皮膚炎・湿疹の治癒という皮膚疾患治癒効果。便秘時などの腸活動の促進・不妊症の治療という婦人科系疾患治癒効果。風邪・感冒の予防、喘息の緩和などの気道系疾患治癒効果。神経衰弱時の精神安定、不眠症を和らげる精神疾患治癒効果。体内の新陳代謝を促進し、血液の循環を良くする血液浄化作用効果。癒し効果、ストレスフリーに効果的と言われるマイナスイオン作用効果。直接身体に擦り込むことで解熱作用が得られると言われる解熱作用効果等が言われている。出願人において、生体に対しての影響をデジタル数値にて評価する測定機器を用いて微弱磁場の分析・測定を行ってプラス２０点からマイナス２０点までの±00、＋00、−00を含む４３段階で評価したところ、無地生地の寝具で就寝した生体における健康状態で−２から−３点という低いレベルにあるストレス、温度調節中枢、血糖、心臓などの効果が、琥珀パウダーによる寝具で就寝した生体における健康状態でストレスは１３点、温度調節中枢は１０点、血糖は６点、心臓は８点など著しい効果が確認できた。この他、無地生地の寝具での値が２点だった「免疫」に関する測定結果が、琥珀パウダーによる寝具で１５点と高い結果を得ていることは、前記した琥珀の治癒力を肯定するデータであった。
【００３６】
この発明の寝具は、袋部３、１３，１７，２１の生地の少なくとも就寝者４に対向する側の面３ａ、１３ａ，１７ａ，２１ａに、琥珀パウダーが５％以上含まれてなる顔料若しくは染料により着色５が施されてなるため、かかる寝具は、対ストレス、対温度調節に優れ、対アレルギー波動の高い、環境に優しい寝具とすることができる。
【００３７】
また、顔料若しくは染料による着色５は、所定の字体であることにより、かかる寝具の着色５が就寝者４から良く見えるので、例えばかかる字体が企業名であればその企業の宣伝になるし、かかる字体が地域名で有ればその地域の宣伝効果が生じる。
【００３８】
また、顔料若しくは染料による着色５による所定の字体は、袋部３、１３，１７，２１に対して斜め方向に且つ上下を適宜選択しての繰り返しにより配置されてなることにより、方形の寝具であるにもかかわらず琥珀パウダーの含まれた着色５の量が多くなり、その分琥珀パウダーの影響が大きくなる。
【００３９】
顔料若しくは染料による着色５は、袋部３、１３，１７，２１の長短尺それぞれの方向に１０個ずつ配置されてなることにより、琥珀パウダーの含まれた着色５の量が多くなり、その分かかる寝具をかぶるなどして就寝する就寝者への影響がより出やすくなる。
【００４０】
前記袋部３、１３，１７，２１は、就寝者４に対向する側の面３ａ、１３ａ，１７ａ，２１ａに配される裏地６と、該裏地６に対向した位置に配される表地７とより構成されてなると共に、該裏地６及び表地７間の少なくとも一方を係脱自在として別の保温材９を収脱自在としたことにより、夏季は袋部３、１３，１７，２１の裏地６及び表地７間に保温材９を挿入しなくても良いが、冬季にはかかる袋部３、１３，１７，２１に保温材９を挿入支持すれば、暖かな寝具とすることができる。即ち、春夏秋冬のあらゆる季節に使用できる。
【産業上の利用可能性】
【００４１】
以上の実施例では、寝具には、顔料若しくは染料による着色５は、所定の字体であることで説明したが、これに限定されるものではなく、図象であっても良い。かかる場合、かかる寝具の着色が就寝者４から見えるので、例えばかかる図象が子供の好むキャラクターで有れば、該キャラクターに抱かれて寝る心地よい寝心地になるため、より就寝しやすいことになる。
【図面の簡単な説明】
【００４２】
【図１】本願発明の一実施例に係る寝具を示す断面図。
【図２】図１の寝具の一部破断した正面図。
【図３】図２のＳＡ−ＳＡ線に沿った断面図。
【図４】図１の枕を示す斜視図。
【符号の説明】
【００４３】
１  掛け布団
２  保温材
３  袋部
３ａ  就寝者に対向する側の袋部の面
４  就寝者
５  着色
６  裏地
７  表地
８  ファスナー
９  別の保温材
１１  敷き布団
１２  保温材
１３  袋部
１３ａ  就寝者に対向する側の袋部の面
１４  枕
１５  保温材
１７  袋部
１７ａ  就寝者に対向する側の袋部の面
１９  フットカバー
２０  保温材
２１  袋部
２１ａ  就寝者に対向する側の袋部の面
【図１】
0004688459.tif 000002
【図２】
0004688459.tif 000003
【図３】
0004688459.tif 000004
【図４】
0004688459.tif 000005